(57)【要約】【課題】力をそれほどかけなくても、管端の変形を容易に矯正することができる管端形状矯正工具を提供することを目的としている。【解決手段】管端に矯正部が挿入され、管端の歪を矯正する管の管端形状矯正工具において、矯正部が、周面がテーパ状になった頭部と、最大径部が矯正しようとする管の内径と略同じ径をした矯正部本体とを備えるとともに、少なくとも頭部の表面に供給される潤滑剤の充填空間が内部に設けられていることを特徴としている。【選択図】      図１
2004276097.tif 000002
【特許請求の範囲】
【請求項１】
管端に矯正部が挿入され、管端の歪を矯正する管の管端形状矯正工具において、矯正部が、周面がテーパ状になった頭部と、最大径部が矯正しようとする管の内径と略同じ径をした矯正部本体とを備えるとともに、少なくとも頭部の表面に供給される潤滑剤の充填空間が内部に設けられていることを特徴とする管の管端形状矯正工具。
【請求項２】
頭部の周面が供給された潤滑剤を流れ落ちないように含浸させる含浸部材で形成されている請求項１に記載の管の管端形状矯正工具。
【請求項３】
矯正部以外の部分に前記充填空間への潤滑剤注入口が設けられている請求項１または請求項２に記載の管の管端形状矯正工具。
【請求項４】
管端に矯正部が挿入され、管端の歪を矯正する管の管端形状矯正工具において、矯正部が、周面がテーパ状になった頭部と、軸に直交する断面で見たとき、複数の凸部が放射状に形成され、各凸部の頂部に沿う外接円の径が矯正しようとする管の内径と略同じ径をした矯正部本体とを備えていることを特徴とする管の管端形状矯正工具。
【発明の詳細な説明】
【０００１】
【発明の属する技術分野】
本発明は、管の管端形状矯正工具に関する。
【０００２】
【従来の技術】
可撓性を有する合成樹脂管や銅管などの金属管あるいは金属複合管は、施工現場等で、管を所定の長さに切断すると、切断時に管端に変形が生じるため、継手の受口等に管端を差し込む前に、まず管端の変形を矯正する必要がある。
すなわち、矯正しておかないと、継手の受口にうまく管端を差し込むことができなかったり、受口と管端周面との間に隙間が生じ漏水等が発生する恐れがある。
【０００３】
そこで、従来、図５に示すように、矯正部１１０が、周面がテーパ状になった頭部１１１と、矯正しようとする管の内径と略同じ外径をした矯正部本体１１２とを備える管端形状矯正工具１００を、管２００の管端２０１に矯正部本体１１２が嵌まり込むように、頭部１１１を先頭にして矯正部１１０を管端２０１に叩き込むか回しながら挿入し、管端の矯正を行うようになっている（非特許文献１参照）。
しかしながら、従来の上記矯正工具１００の場合、矯正部本体１１２を管端２０１に挿入するのに非常に力がいるため、現場で矯正工程を省かれてしまうことが多く、この矯正が行われていないことが原因となる漏水事故がかなり多く発生している。
【０００４】
【非特許文献１】
三菱マテリアル株式会社２００１年６月発行の「被覆銅管ヴィックチューブ」カタログ第１１頁〜第１４頁
【０００５】
【発明が解決しようとする課題】
本発明は、上記事情に鑑みて、力をそれほどかけなくても、管端の変形を容易に矯正することができる管端形状矯正工具を提供することを目的としている。
【０００６】
【課題を解決するための手段】
上記目的を達成するために、本発明の請求項１に記載の管の管端形状矯正工具（以下、「請求項１の工具」と記す）は、管端に矯正部が挿入され、管端の歪を矯正する管の管端形状矯正工具において、矯正部が、周面がテーパ状になった頭部と、最大径部が矯正しようとする管の内径と略同じ径をした矯正部本体とを備えるとともに、少なくとも頭部の表面に供給される潤滑剤の充填空間が内部に設けられていることを特徴としている。
【０００７】
本発明の請求項２に記載の管の管端形状矯正工具（以下、「請求項２の工具」と記す）は、請求項１の工具において、頭部の周面が供給された潤滑剤を流れ落ちないように含浸させる含浸部材で形成されていることを特徴としている。
【０００８】
本発明の請求項３に記載の管の管端形状矯正工具（以下、「請求項３の工具」と記す）は、請求項１または請求項２の工具において、矯正部以外の部分に前記充填空間への潤滑剤注入口が設けられていることを特徴としている。
【０００９】
本発明の請求項４に記載の管の管端形状矯正工具（以下、「請求項４の工具」と記す）は、管端に矯正部が挿入され、管端の歪を矯正する管の管端形状矯正工具において、矯正部が、周面がテーパ状になった頭部と、軸に直交する断面で見たとき、複数の凸部が放射状に形成され、各凸部の頂部に沿う外接円の径が矯正しようとする管の内径と略同じ径をした矯正部本体とを備えていることを特徴としている。
【００１０】
本発明において、潤滑剤としては、矯正部の周面と、管端の内壁面との摩擦抵抗を低減できれば、特に限定されない。
【００１１】
【発明の実施の形態】
以下に、本発明を、その実施の形態をあらわす図面を参照しつつ詳しく説明する。
図１は、本発明にかかる管端形状矯正工具の第１の実施の形態をあらわしている。
【００１２】
図１に示すように、この管端形状矯正工具Ａは、矯正部１ａと、鍔部２と、操作部３と、潤滑剤充填空間４とを備えている。
矯正部１ａは、矯正しようとする管より硬度が大きい材料で形成されていて、頭部５ａと矯正部本体６とを備えている。
【００１３】
頭部５ａは、周面５１が頭部先端に向かって径が小さくなるテーパ状をしていて、潤滑剤充填空間４に連通する微小な孔５２が周面５１に複数個開口している。
矯正部本体６は、矯正しようとする管（図示せず）の内径と略同じ外径の円柱状をしている。
【００１４】
鍔部２は、矯正しようとする管の外径より大きい外径をしている。
操作部３は、図示していないが、矯正時に手で把持する把持部を端部に備えている。
【００１５】
潤滑剤充填空間４は、矯正部１ａから操作部３にかけての内部に設けられていて、操作部３の外面に設けられた注入口３１から潤滑剤４５が充填できるようになっている。そして、潤滑剤充填空間４に充填された潤滑剤４５は、孔５２から頭部５ａの周面５１ににじみ出て周面５１を常に潤滑剤４５で濡らした状態にするようになっている。
この管端形状矯正工具Ａは、以上のように、潤滑剤充填空間４に潤滑剤４５を充填しておけば、常に矯正部１ａの頭部５ａの周面５１が潤滑剤４５で濡れた状態になっているので、矯正しようとする管の管端に矯正部１ａを挿入する際、まず、頭部５ａの周面５１が、管端の内面に接触し、頭部５ａの周面５１を濡らした潤滑剤４５が管端内面を濡らす。そして、操作部３に力を入れて矯正部本体６を管端に差し込もうとすると、管端の内面を濡らした潤滑剤４５によって矯正部本体６が軽い力で管端に差し込むことができる。
【００１６】
すなわち、矯正作業を軽い力で行うことができ、現場作業者が矯正工程を省いたことが原因となる漏水事故を低減することができる。
また、注入口３１を設けたので、潤滑剤充填空間４に容易に潤滑剤４５を充填できる。
【００１７】
図２は、本発明にかかる管端形状矯正工具の第２の実施の形態をあらわしている。
図２に示すように、この管端形状矯正工具Ｂは、頭部５ｂの周面５３がブラシ状あるいは不織布のような含浸性の含浸部材で形成されている以外は、上記第１の実施の形態と同様になっている。
【００１８】
すなわち、この管端形状矯正工具Ｂは、頭部５ｂの周面５３が含浸部材で形成されているので、周面５３に均一に潤滑剤４５を行きわたらせることができる。したがって、管端の内面も満遍なく潤滑剤で濡らすことができ、矯正部本体６をよりスムーズに管端に差し込むことができる。また、粘度の低い潤滑剤４５も使用できるので、潤滑剤の選択幅もひろがる。
【００１９】
図３は、本発明にかかる管端形状矯正工具の第３の実施の形態をあらわしている。
図３に示すように、この管端形状矯正工具Ｃは、矯正部１ｂと、鍔部２と、操作部３とを備えている。
【００２０】
矯正部１ｂは、矯正しようとする管より硬度が大きい材料で形成されていて、頭部７と矯正部本体８ａとを備えている。
頭部７は、周面７１が頭部先端に向かって径が小さくなるテーパ状をしていて最大径部７２が、矯正しようとする管の内径と略同じ径をしている。
【００２１】
矯正部本体８ａは、図３（ｂ）に示すように、軸に直交する断面でみたとき、複数の凸部８１が放射状に等ピッチで歯車状に形成され、この凸部８１の頂部８２がアール形状になっている。そして、２点鎖線で示す各頂部８２に沿う外接円９が矯正しようとする管の内径と略同じ径になっている。
鍔部２および操作部３は、上記第１の実施の形態と同様になっている。
【００２２】
この管端形状矯正工具Ｃは、矯正部本体８ａが、１０個の凸部８１を放射状に等ピッチで歯車状に設け、この凸部８１の頂部８２をアール形状にするとともに、各頂部８２に沿う外接円９が矯正しようとする管の内径と略同じ径になっているので、各頂部８２の部分が線状に管端内周面に当接するだけである。したがって、従来の管端形状矯正工具１００と同様に、矯正部１ｂを管端に回転させながら差し込もうとした際、矯正部本体８ａと管端内周面との摩擦抵抗が少なく、スムーズに矯正部１ｂを管端に差し込むことができる。
したがって、矯正作業を軽い力で行うことができ、現場作業者が矯正工程を省いたことが原因となる漏水事故を低減することができる。
【００２３】
図４は、本発明にかかる管端形状矯正工具の第４の実施の形態をあらわしている。
図４に示すように、この管端形状矯正工具Ｄは、図３（ｂ）に示すように、矯正部本体８ｂが３つの凸部８４を放射状に備え、断面略三角形をしている以外は、上記第３の実施の形態と同様になっている。
【００２４】
したがって、矯正作業を軽い力で行うことができ、現場作業者が矯正工程を省いたことが原因となる漏水事故を低減することができる。
【００２５】
本発明は、上記の実施の形態に限定されない。たとえば、上記の管端形状矯正工具Ｃ（Ｄ）にも、管端形状矯正工具Ａ（Ｂ）のように、頭部７の周面を、常に潤滑剤４５で濡らせるような構造を設けるようにしても構わない。
また、上記の管端形状矯正工具Ａ（Ｂ）では、注入口３１から潤滑剤充填空間４に潤滑剤４５を充填できるようになっていたが、潤滑剤入りのカートリッジを入れ換えるような構造にしても構わない。
【００２６】
【発明の効果】
本発明にかかる管の管端形状矯正工具は、以上のように構成されているので、力をそれほどかけなくても、管端の変形を容易に矯正することができる。
したがって、矯正作業を軽い力で行うことができ、現場作業者が矯正工程を省いたことが原因となる漏水事故を低減することができる。
【００２７】
また、請求項２の工具のようにすれば、潤滑剤充填空間に容易に潤滑剤を充填できる。
さらに、請求項３の工具のようにすれば、管端の内面を満遍なく潤滑剤で濡らすことができ、矯正部本体をよりスムーズに管端に差し込むことができる。また、粘度の低い潤滑剤も使用できるので、潤滑剤の選択幅もひろがる。
【図面の簡単な説明】
【図１】本発明にかかる管の管端形状矯正工具の第１の実施の形態をあらわす断面図である。
【図２】本発明にかかる管の管端形状矯正工具の第２の実施の形態をあらわす断面図である。
【図３】本発明にかかる管の管端形状矯正工具の第３の実施の形態をあらわし、同図（ａ）はその側面図、同図（ｂ）は同図（ａ）のＸ−Ｘ線断面図である。
【図４】本発明にかかる管の管端形状矯正工具の第４の実施の形態をあらわし、同図（ａ）はその側面図、同図（ｂ）は同図（ａ）のＹ−Ｙ線断面図である。
【図５】従来の管端形状矯正工具の説明図である。
【符号の説明】
Ａ，Ｂ，Ｃ，Ｄ  管端形状矯正工具
１ａ，１ｂ  矯正部
４  潤滑剤充填空間
５ａ，５ｂ，７  頭部
６，８ａ，８ｂ  矯正部本体
９  外接円
３１  潤滑剤注入口
４５  潤滑剤
５１，５３，７１  周面
８１，８４  凸部
８２  頂部
【図１】
2004276097.tif 000003
【図２】
2004276097.tif 000004
【図３】
2004276097.tif 000005
【図４】
2004276097.tif 000006
【図５】
2004276097.tif 000007